【手続補正書】
【提出日】平成24年11月16日(2012.11.16)
【手続補正１】
【補正対象書類名】特許請求の範囲
【補正対象項目名】全文
【補正方法】変更
【補正の内容】
【特許請求の範囲】
【請求項１】
入力された音声信号に対してアプリケーションプログラムに基づく信号処理及び前記信号処理に用いるパラメータの値を変更するパラメータ変更処理を行う音声信号処理装置において、
前記アプリケーションプログラムの仮起動指示を受け付ける仮起動指示手段と、
前記仮起動指示を受け付けたことに応じて、前記アプリケーションプログラムが前記信号処理及び前記パラメータ変更処理を行うために必要なリソースを割り当てて、前記パラメータ変更処理を実行可能な状態にするリソース割り当て手段と、
前記仮起動指示を受け付けたことに応じて、前記信号処理を無効化する無効化手段と、
前記アプリケーションプログラムの本起動指示を受け付ける本起動指示手段と、
前記本起動指示を受け付けたことに応じて、前記信号処理を有効化する有効化手段
を備えることを特徴とする音声信号処理装置。
【請求項２】
前記入力された音声信号に関して、前記信号処理を施して出力する通常経路と、前記信号処理を迂回して出力するバイパス経路とを有し、
前記無効化手段は、前記仮起動指示を受け付けたことに応じて前記バイパス経路を選択することにより前記信号処理を無効化し、
前記有効化手段は、前記本起動指示を受け付けたことに応じて前記通常経路を選択することにより前記信号処理を有効化する
ことを特徴とする請求項１に記載の音声信号処理装置。
【請求項３】
コンピュータを、入力された音声信号に対してアプリケーションプログラムに基づく信号処理及び前記信号処理に用いるパラメータの値を変更するパラメータ変更処理を行う音声信号処理装置として機能させるプログラムであって、前記コンピュータに、
前記アプリケーションプログラムの仮起動指示を受け付けるステップと、
前記仮起動指示を受け付けたことに応じて、前記アプリケーションプログラムが前記信号処理及び前記パラメータ変更処理を行うために必要なリソースを割り当てて、前記パラメータ変更処理を実行可能な状態にするステップと、
前記仮起動指示を受け付けたことに応じて、前記信号処理を無効化するステップと、
前記アプリケーションプログラムの本起動指示を受け付けるステップと、
前記本起動指示を受け付けたことに応じて、前記信号処理を有効化するステップ
を実行させることを特徴とするプログラム。
【手続補正２】
【補正対象書類名】明細書
【補正対象項目名】発明の名称
【補正方法】変更
【補正の内容】
【発明の名称】音声信号処理装置及びプログラム
【手続補正３】
【補正対象書類名】明細書
【補正対象項目名】０００１
【補正方法】変更
【補正の内容】
【０００１】
本発明は、音声信号に対してアプリケーションプログラムに基づく信号処理を行う音声信号処理装置及びプログラムであって、詳しくはアプリケーションプログラムの起動を制御するための技術に関する。
【手続補正４】
【補正対象書類名】明細書
【補正対象項目名】０００７
【補正方法】変更
【補正の内容】
【０００７】
この発明は、上述の点に鑑みてなされたもので、使用するアプリケーションプログラムに関するパラメータ設定の準備作業を効率的に行えるようにした音声信号処理装置及びプログラムを提供することを目的する。
【手続補正５】
【補正対象書類名】明細書
【補正対象項目名】０００８
【補正方法】変更
【補正の内容】
【０００８】
本発明は、入力された音声信号に対してアプリケーションプログラムに基づく信号処理及び前記信号処理に用いるパラメータの値を変更するパラメータ変更処理を行う音声信号処理装置において、前記アプリケーションプログラムの仮起動指示を受け付ける仮起動指示手段と、前記仮起動指示を受け付けたことに応じて、前記アプリケーションプログラムが前記信号処理及び前記パラメータ変更処理を行うために必要なリソースを割り当てて、前記パラメータ変更処理を実行可能な状態にするリソース割り当て手段と、前記仮起動指示を受け付けたことに応じて、前記信号処理を無効化する無効化手段と、前記アプリケーションプログラムの本起動指示を受け付ける本起動指示手段と、前記本起動指示を受け付けたことに応じて、前記信号処理を有効化する有効化手段を備えることを特徴とする音声信号処理装置である。
【手続補正６】
【補正対象書類名】明細書
【補正対象項目名】０００９
【補正方法】変更
【補正の内容】
【０００９】
ユーザによるアプリケーションプログラムの仮起動指示を受け付けたことに応じて、仮起動指示されたアプリが信号処理及びパラメータ変更処理を行うために必要なリソースを割り当てるとともに、前記信号処理を無効化する（アプリを仮起動する）。これにより、信号処理を開始しないという制限をかけた状態で、アプリの不正使用を抑止しつつ、そのアプリに関するパラメータ編集（パラメータ変更操作パラメータ設定をユーザに許可することができる。そして、ユーザによる前記アプリの本起動指示を受け付けたことに応じて、前記信号処理を有効化する（前記信号処理の無効化を解除して、該信号処理の開始を許可する）。
【手続補正７】
【補正対象書類名】明細書
【補正対象項目名】００１０
【補正方法】変更
【補正の内容】
【００１０】
また、本発明に係る音声信号処理装置は、前記入力された音声信号に関して、前記信号処理を施して出力する通常経路と、前記信号処理を迂回して出力するバイパス経路とを有し、前記無効化手段は、前記仮起動指示を受け付けたことに応じて前記バイパス経路を選択することにより前記信号処理を無効化し、前記有効化手段は、前記本起動指示を受け付けたことに応じて前記通常経路を選択することにより前記信号処理を有効化するように構成してよい。
【手続補正８】
【補正対象書類名】明細書
【補正対象項目名】００１１
【補正方法】変更
【補正の内容】
【００１１】
また、この発明は、コンピュータを、入力された音声信号に対してアプリケーションプログラムに基づく信号処理及び前記信号処理に用いるパラメータの値を変更するパラメータ変更処理を行う音声信号処理装置として機能させるプログラムであって、前記コンピュータに、前記アプリケーションプログラムの仮起動指示を受け付けるステップと、前記仮起動指示を受け付けたことに応じて、前記アプリケーションプログラムが前記信号処理及び前記パラメータ変更処理を行うために必要なリソースを割り当てて、前記パラメータ変更処理を実行可能な状態にするステップと、前記仮起動指示を受け付けたことに応じて、前記信号処理を無効化するステップと、前記アプリケーションプログラムの本起動指示を受け付けるステップと、前記本起動指示を受け付けたことに応じて、前記信号処理を有効化するステップを実行させることを特徴とするプログラムとして構成として構成及び実施できる。
【手続補正９】
【補正対象書類名】明細書
【補正対象項目名】００３８
【補正方法】変更
【補正の内容】
【００３８】
《コンソールの構成》
図３（ａ）において、コンソール１には、操作パネルに設けられた表示部（Ｐ表示）１７、ユーザによる各種操作を受け付けるパネル操作子（Ｐ操作子）１８、各チャンネルの音声信号の音量レベルを調整する音量レベル調整用操作子（電動Ｆ）１９が具備されている。表示部１７は、例えば液晶ディスプレイ等の表示器であって、ＣＰＵ１０からＣＰＵバス１００を介して与えられた表示制御信号に基づき各種情報を表示する。パネル操作子１８は、操作パネル上に配置された多数の操作子である。また、音量レベル調整用操作子１９は、ツマミ部の操作位置がＣＰＵ１０により電動制御される、いわゆる電動フェーダ（電動Ｆ）により構成される。また、コンソール１のＡ  Ｉ／Ｏ１４には、マイク入力用端子やヘッドフォン出力用端子などが含まれる。
【手続補正１０】
【補正対象書類名】明細書
【補正対象項目名】００６０
【補正方法】変更
【補正の内容】
【００６０】
ステップＳ２において、ＰＣ６のＣＰＵ４０は、ＵＳＢ端子４３に接続されたＵＳＢドングル７０からシリアルナンバ６３を自動的に読み出す。図５（ｂ）に示す通り、ステップＳ２によりＵＳＢドングル７０から読み出されたシリアルナンバ６３（太線で囲むデータ）は、ＰＣ６に記録される。このステップＳ２により、ＰＣ６は、これから生成するアクセスキーの記録先となるライセンス管理用記憶装置を特定する装置特定情報（シリアルナンバ６３）を取得する。
【手続補正１１】
【補正対象書類名】明細書
【補正対象項目名】０１２７
【補正方法】変更
【補正の内容】
【０１２７】
そして、コンソール１のＣＰＵ１０は、ステップＳ３２において、本起動対象のアプリについてバイパスパラメータをオフに設定することで、音声信号処理の無効化処置を解除して、本起動対象のアプリの起動状態を本起動の状態にする（音声信号処理を有効化する）。ステップＳ３２によりコンソール１のＣＰＵ１０は本起動開始制御手段として機能する。すなわち、コンソール１のＣＰＵ１０は、メモリ１１のカレントバッファ領域に記録された本起動対象のアプリについてバイパスパラメータの設定値をオフに書き換え、且つ、アプリの起動状態を表すデータを「仮起動中」から「本起動中」に書き換える。そして、コンソール１のＣＰＵ１０は、前記カレントバッファ領域の設定値の変更をエンジン２のＤＳＰ部２７に反映させる。これにより、ミキシングシステムにおいて、当該本起動対象のアプリに基づく音声信号処理が開始する。図９の例では、プラグインＥＦ９０からエフェクト処理済みの音声信号が出力されるようになる。したがって、ミキシングシステムで本起動対象のアプリの機能を実際に使用することができるようになる。